(57)【要約】      （修正有）【課題】人への再付着の低減・浮遊塵埃の低減を図ることの出来るエアシャワーの構造を提供する。【解決手段】エアジェットノズル１１から吹出されたエアジェットが人体４１や衣服に当たり、エアジェットの風向が変わった風の向かう先のエアシャワー室８１の側壁面に吸引部を設けることにより、浮遊した塵埃の低減を可能とした。また、人の頭部や肩の高さに吸引部５１を配置することにより、エアジェットにより取り除いた塵埃を、人や衣服に再付着させること無く、最適な高さの吸引口５１から塵埃を吸い込むことの出来る構造とすることにより、問題の抑止を可能とした。【選択図】図１
2015014381.tif 000002
【特許請求の範囲】
【請求項１】
入退出口と、その側壁面と、天井面、床面からなるエアシャワー室と、エアを噴出するエアジェットノズルと、エアシャワー室内の塵埃を吸引する吸引部とからなるエアシャワー装置において、
前記エアジェットノズルは、前記エアシャワー室の天井面に設けられており、
前記吸引部は、前記エアジェットノズルにより噴出されたエアがエアシャワー室内のユーザに当たり、エアの風向が変わった風の向かう先の前記エアシャワー室の側壁面に設けられている
ことを特徴とするエアシャワー装置。
【請求項２】
請求項１に記載のエアシャワー装置であって、
前記吸引部は、前記エアシャワー室内のユーザの頭部または肩の高さに対応する前記エアシャワー室の側壁面に設けられていることを特徴とするエアシャワー装置。
【請求項３】
請求項１に記載のエアシャワー装置であって、
前記吸引部は、前記エアシャワー室の側壁面に、前記エアシャワー室内のユーザの頭部または肩の高さに対応する第１の位置と、それ以下の高さの第２の位置とに配置されており、
前記第１の位置に配置されている吸引部の数が、前記第２の位置に配置されている吸引部の数より多いことを特徴とするエアシャワー装置。
【請求項４】
入退出口と、その側壁面と、天井面、床面からなるエアシャワー室と、エアを噴出するエアジェットノズルと、エアシャワー室内の塵埃を吸引する吸引部とからなるエアシャワー装置において、
前記エアジェットノズルは、前記エアシャワー室の天井面と側壁面とに設けられており、
前記吸引部は、前記エアジェットノズルにより噴出されたエアがエアシャワー室内のユーザに当たり、エアの風向が変わった風の向かう先の前記エアシャワー室の側壁面に設けられている
ことを特徴とするエアシャワー装置。
【請求項５】
請求項４に記載のエアシャワー装置であって、
前記吸引部は、前記エアシャワー室内のユーザの頭部または肩の高さに対応する前記エアシャワー室の側壁面に設けられていることを特徴とするエアシャワー装置。
【請求項６】
請求項４に記載のエアシャワー装置であって、
前記吸引部は、前記エアシャワー室の側壁面に、前記エアシャワー室内のユーザの頭部または肩の高さに対応する第１の位置と、それ以下の高さの第２の位置とに配置されており、
前記第１の位置に配置されている吸引部の数が、前記第２の位置に配置されている吸引部の数より多いことを特徴とするエアシャワー装置。
【請求項７】
請求項４〜６のいずれか1項に記載のエアシャワー装置であって、
前記吸引部は、前記エアシャワー室の入退出方向において、前記エアシャワー室の側壁面に設けられたエアジェットノズルの前後に配置したことを特徴とするエアシャワー装置。
【請求項８】
請求項４〜６のいずれか1項に記載のエアシャワー装置であって、
前記吸引部は、前記エアシャワー室の側壁面に設けられたエアジェットノズルと高さ方向に異なるように前記エアシャワー室の側壁面に配置したことを特徴とするエアシャワー装置。
【発明の詳細な説明】
【技術分野】
【０００１】
本発明は、ファン等で加圧された空気を用いて塵埃を除去するエアシャワー装置に関する。
【背景技術】
【０００２】
本技術分野の背景技術として、特開２００５−９０７６３号公報（特許文献１）、及び、特開２０００−１８９９１５号公報（特許文献２）がある。特許文献１には、エアシャワー室の床面と側壁に設けた排気孔から吸引してエアシャワー室内の塵埃を室外へ排気する構成が記載されている。また、特許文献２には、空気吹き出し口の側方に空気吸い込み口を配設する構成が記載されている。
【先行技術文献】
【特許文献】
【０００３】
【特許文献１】特開２００５−９０７６３号公報
【特許文献２】特開２０００−１８９９１５号公報
【発明の概要】
【発明が解決しようとする課題】
【０００４】
エアシャワーにより人や物品から払い落とされた塵埃は、床面、または、足元部にあるプレフィルタにより吸引されるが、この構成では、足元部に到達するまでに塵埃が再度人や物品に付着する虞があった。また、エアジェットにより巻き上げられた塵埃が、エアシャワー室内で浮遊するという虞もあった。そのために、特許文献１や特許文献２のように、エアシャワー室の側壁に設けた排気孔または、空気吸い込み口から、浮遊する塵埃を吸引することで塵埃の除去の向上を図ることが開示されていた。しかし、より効率的に浮遊する塵埃を吸引するその具体的な構成についての開示がなく、効率的な吸引部の配置、構成について考慮されていなかった。
【課題を解決するための手段】
【０００５】
上記課題を解決するために、本発明は、エアジェットノズルから吹出されたエアジェットが人体や衣服に当たり、エアジェットの風向が変わった風の向かう先のエアシャワー室の側壁面に吸引部を設ける。具体的には、人の頭部または肩の高さに吸引部を配置する。さらに、吸引部の個数を、人の頭部または肩の高さの位置ほど多く配置する。
【発明の効果】
【０００６】
エアジェットによって吹き飛ばされた塵埃を速やかに吸収し、再度人体に付着するのを防止できる。
【図面の簡単な説明】
【０００７】
【図１】本発明の第１の実施例を示す構成図である。
【図２】本発明の第２の実施例を示す構成図である。
【図３】本発明の第３の実施例を示す構成図である。
【図４】本発明の第４の実施例を示す構成図である。
【発明を実施するための形態】
【０００８】
以下、本発明の実施形態として、図面を用いて説明する。
【実施例１】
【０００９】
図１は、本発明の第１の実施例を示す構成図である。図１（Ａ）は、エアシャワー装置を正面から見た場合の断面図、図１（Ｂ）は、側面から見た場合の断面図を表している。このエアシャワー装置は、エアシャワー室８１と、その天井部分に、ファン７１、プレフィルタ２１、ＨＥＰＡ(High Efficiency Particulate Air)フィルタ６１、エアジェットノズル１１、からなる天井ユニット３１を有し、天井に設けられたエアジェットノズル１１から吹き出されたエアジェットが、エアシャワー室内のユーザである人４１の頭部や肩に当たり、塵埃を吹き飛ばす構成となっている。ここで、エアシャワー室８１は、入退出口と、入退出方向から見てその側面の側壁面と、天井面、床面とからなり、入退出方向を正面と定義する。
【００１０】
エアジェットノズル１１によるエアジェットは、人４１の頭部や肩に当たり、風向が横方向に変わる。この変化した風の向かう先の、エアシャワー室側壁面に吸引部５１を設けている。これにより、頭部や肩から吹き飛ばされた塵埃は、人のその他の部位に再付着することなく、吸引部５１より吸引され、ＨＥＰＡフィルタ６１により吸着される。
【００１１】
なお、エアシャワー室側面の足元部にも吸引部５２を設けて、床面に堆積する塵埃は、プレフィルタ２１により吸着される。
【００１２】
具体的な吸引部５１、５２の配置を図１（Ｂ）に示す。図１（Ｂ）に示すように、吸引部５１は、人の頭部または肩の高さに相当する位置に配置され、人の頭部または肩からの塵埃をより多く吸引するために、その高さの吸引部の数を多くしている。すなわち、エアシャワー室の入退出方向（図１（Ｂ）の紙面左右方向）に沿ってエアシャワー室側壁面に複数の吸引部を配置している。このように、エアシャワー室の側壁面に、吸引部を設けることにより、天井からのエアジェットにより発塵した塵埃を、最適な流れで吸引することにより、人への再付着の低減・浮遊塵埃の低減を図ることの出来る構造を提供する
なお、図１（Ｂ）では、人の頭部または肩の高さよりも下の位置にも吸引部を配置しているが、これは、頭部または肩よりも下の衣服に付いた塵埃を吸引するためと、時間と共に下向してくる塵埃を吸引するためである。
【００１３】
また、吸引部５２は、大きな開口の吸引部とする。これにより、床面付近からも吸引し、足元部の塵埃も吸引可能となる。
【００１４】
以上のように、エアジェットノズルから吹出されたエアジェットが人体や衣服に当たり、エアジェットの風向が変わった風の向かう先のエアシャワー室の側壁面に吸引部を設ける、具体的には、人の頭部または肩の高さに吸引部を配置することで、頭部や肩から吹き飛ばされた塵埃は、人のその他の部位に再付着することなく、吸引部より吸引されるので、エアシャワー室内の塵埃を迅速に減らすことができ、再度人体に付着するのを防止してエアシャワーの性能を向上させることができる。
【実施例２】
【００１５】
図２は、本発明の第２の実施例を示す構成図である。図２（Ａ）は、エアシャワー装置を上方から見た場合の平面断面図、図２（Ｂ）は、左半分は、図２（Ａ）の切断線（a）で切断した場合の断面図、右半分は、図２（Ａ）の切断線（ｂ）で切断した場合の断面図、図２（Ｃ）は、側面から見た場合の断面図を表している。
【００１６】
実施例１では、エアジェットノズルが天井に配置された場合についての実施例であったが、実施例２では、エアジェットノズルが、天井に加えて、エアシャワー室側壁面にも設けられた場合の実施例である。
【００１７】
図２（Ｂ）において、１２は、エアシャワー室側壁面に配置されたエアジェットノズル、５３、５４は、エアシャワー室側壁面に配置された吸引部である。その他の構成は、既に説明した図１に示された符号と同一の符号が付された構成と同一の機能を有するので、それらの説明は省略する。
【００１８】
図２（Ｂ）左半分、及び、図２（Ｃ）に示すように、エアジェットノズル１２がエアシャワー室の入退出方向（図２（Ｃ）の紙面左右方向）の中心部分に配置され、吸引部がその前後（エアシャワー室の入退出方向の入口、出口の近い側）に設けられている。
【００１９】
このために、天井からのエアジェットノズル１１により頭部や肩から吹き飛ばされた塵埃は、実施例１の場合と同様に、人の頭部または肩の高さに配置された吸引部５３によって吸引される。また、エアシャワー室側壁面に設けられたエアジェットノズル１２により衣服から吹き飛ばされた塵埃は、人の頭部または肩の高さよりも下の位置に配置された吸引部５４により吸引される。
【００２０】
以上のように、エアジェットノズルから吹出されたエアジェットが人体や衣服に当たり、エアジェットの風向が変わった風の向かう先のエアシャワー室の側壁面に吸引部を設ける、具体的には、人の頭部または肩の高さと、それよりも低い高さに吸引部を配置することで、頭部や肩から吹き飛ばされた塵埃や、衣服についた塵埃は、人のその他の部位に再付着することなく、吸引部より吸引されるので、エアシャワー室内の塵埃を迅速に減らすことができ、再度人体に付着するのを防止してエアシャワーの性能を向上させることができる。
【実施例３】
【００２１】
図３は、本発明の第３の実施例を示す構成図である。図３は、エアシャワー装置を側面から見た場合の断面図を表している。図３において、５５、５６は、エアシャワー室側壁面に配置された吸引部である。その他の構成は、既に説明した図２（Ｃ）に示された符号と同一の符号が付された構成と同一の機能を有するので、それらの説明は省略する。
【００２２】
本実施例は、図３に示すように、人の頭部または肩の高さに相当する位置に配置された吸引部５５は、人の頭部または肩からの塵埃をより多く吸引するために、その高さの吸引部の数を多くしている。すなわち、エアシャワー室の入退出方向（図３の紙面左右方向）の中心部にエアジェットノズル１２を配置し、入退出方向の前後である、入口と出口近傍に吸引部５５を複数配置しており、人の頭部または肩の高さに対応する部分の吸引部の数を他の高さの数より多くしている。
【００２３】
これにより、エアシャワー室の天井に配置されたエアジェットノズルから吹出されたエアジェットにより頭部や肩から吹き飛ばされた塵埃は、人の頭部または肩の高さに相当する位置に配置された吸引部により効率的に吸引される。また、エアシャワー室の側壁面に配置されたエアジェットノズルから吹出されたエアジェットにより衣服から吹き飛ばされた塵埃は、人の頭部または肩の高さよりも低い高さに相当する位置に配置された吸引部により吸引されるので、人のその他の部位に再付着することなく、エアシャワー室内の塵埃を迅速に減らすことができ、再度人体に付着するのを防止してエアシャワーの性能を向上させることができる。
【実施例４】
【００２４】
図４は、本発明の第４の実施例を示す構成図である。図４は、エアシャワー装置を側面から見た場合の断面図を表している。図４において、５７は、エアシャワー室側壁面に配置された吸引部である。その他の構成は、既に説明した図３に示された符号と同一の符号が付された構成と同一の機能を有するので、それらの説明は省略する。
【００２５】
本実施例は、図４に示すように、エアシャワー室の側壁面に配置されたエアジェットノズル１２の間に、吸引部を設けた構成である。すなわち、実施例３では、エアシャワー室の入退出方向で、エアジェットノズルを挟む入口と出口近傍に吸引部を複数配置したが、本実施例ではエアジェットノズルの上下に吸引部を配置している。これにより、エアジェットノズル１２により吹き飛ばされた塵埃の吸引範囲をひろく取ることができ、より効率的に、エアシャワー室内の塵埃を減らすことができる。また、高さ方向に、エアジェットノズルと吸引部を異なるように配置したため、エアジェットノズルからエアジェットを送風するためのファンの配置や加圧室の構造、吸引部から吸引するためのファンの配置や負圧室の構造が簡単になるとの利点がある。
【００２６】
なお、エアジェットノズルと吸引部の配置は、上記に限定するものではなく、例えば、エアジェットノズルと吸引部を交互に２次元的に配置する構成でもよい。この構成であれば、さらに、塵埃の吸引範囲をひろく取ることができ、より効率的に、エアシャワー室内の塵埃を減らすことができる。この場合の、エアジェットノズルからエアジェットを送風するための構造や、吸引部から吸引するための構造としては、例えば、ファンからの送風または吸気を個別に導く導風路（例えばパイプ）をそれぞれのエアジェットノズルや吸引部に接続することで可能となる。
【００２７】
また、図４においては、人の頭部または肩の高さに相当する位置に配置された吸引部と、それ以下の高さに配置された吸引部の数は同じとしたが、実施例３のように、人の頭部または肩の高さに相当する位置に配置された吸引部の数を、それ以下の高さに配置された吸引部の数より多くしてもよい。
【００２８】
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加、削除、置換をすることも可能である。
【符号の説明】
【００２９】
１１、１２…エアジェットノズル
２１…プレフィルタ
５１、５２、５３，５４、５５，５６，５７…吸引部
６１…ＨＥＰＡフィルタ
７１…ファン
８１…エアシャワー室
【図１】
2015014381.tif 000003
【図２】
2015014381.tif 000004
【図３】
2015014381.tif 000005
【図４】
2015014381.tif 000006